(57)【要約】【課題】湾曲した手すりを含む完成品の手すりに後付けすることができ、クッション性及び耐久性に優れたグリップカバーを提供すること。【解決手段】手すり１０の周縁に対して間隙を設けて配されるグリップカバー本体１と、手すり１０とグリップカバー本体１との間に配されるクッション材２とを備えるグリップカバーを提供する。グリップカバー本体１の設計により、後付けが可能となる。また、手すりにクッション材２を装着し、その後にグリップカバー本体１を装着する装着方法を提供する。【選択図】図４
2019190181.tif 000002
【特許請求の範囲】
【請求項１】
棒状の手すりに装着されるグリップカバーであって、
前記手すりの周縁に配されるグリップカバー本体と、
前記手すりと前記グリップカバー本体との間に配されるクッション材とを備えることを特徴とする、グリップカバー。
【請求項２】
前記グリップカバー本体は、少なくともその一部が、１ｍｍ〜３ｍｍの厚みであり、前記手すりの延伸方向に沿って手すり挿入用切込を有し、３０度〜７０度の硬度であり、一体成形されていることを特徴とする、請求項１に記載のグリップカバー。
【請求項３】
前記クッション材は、少なくともその一部が、前記グリップカバー本体よりも硬度が低いことを特徴とする、請求項１又は２に記載のグリップカバー。
【請求項４】
前記クッション材は、少なくともその一部が、前記手すりの周縁全体を被覆し、２ｍｍ〜４ｍｍの厚みであることを特徴とする、請求項１〜３のいずれか１項に記載のグリップカバー。
【請求項５】
前記グリップカバー本体は、エラストマー製であることを特徴とする、請求項１〜４のいずれか１項に記載のグリップカバー。
【請求項６】
前記クッション材は、発泡体製であることを特徴とする、請求項１〜５のいずれか１項に記載のグリップカバー。
【請求項７】
前記手すりは湾曲部分を有することを特徴とする、請求項１〜６のいずれか１項に記載のグリップカバー。
【発明の詳細な説明】
【技術分野】
【０００１】
本発明は、棒状の手すりに装着されるグリップカバーに関する。
【背景技術】
【０００２】
階段、寝室その他の場所に歩行を補助するための手すり（例えば特許文献１参照）を設置する。その際、手すりにグリップカバーを装着し、使用に際してより把持しやすく、より滑りにくくすることで、手すりを使いやすくすることがある。
【先行技術文献】
【特許文献】
【０００３】
【特許文献１】特開２０１３−０３４６５６号公報
【特許文献２】特開２０１４−１２４２７４号公報
【発明の概要】
【発明が解決しようとする課題】
【０００４】
従来のグリップカバーは、手すりの製造過程において組付けるものであり、完成品の手すりに後付けすることが困難であった。この点、特許文献２には、グリップカバーにヒンジを用いることによって容易に後付けすることのできるグリップカバーが開示されている。しかし、直線形状のヒンジを用いるものであり、湾曲した手すりに用いることが困難であった。
【０００５】
また、グリップカバーを握り易いものとするためには、グリップカバー自体のクッション性が必要であるが、グリップカバーをクッション性の高い素材のものとすると耐久性が劣ることとなってしまう。
【０００６】
本発明は、湾曲した手すりを含む完成品の手すりに後付けすることができ、クッション性及び耐久性に優れたグリップカバーを提供することを課題とする。
【課題を解決するための手段】
【０００７】
本発明のグリップカバーは、
棒状の手すりに装着されるグリップカバーであって、
前記手すりの周縁に配されるグリップカバー本体と、
前記手すりと前記グリップカバー本体との間に配されるクッション材とを備えることを特徴とする。
【０００８】
この特徴によれば、耐久性を有するグリップカバー本体を用いつつ、クッション材によってクッション性を与えることができる。ここで、「棒状の」手すりには、直線棒状のみでなく一部又は全部が湾曲した手すりを含む。
【０００９】
本発明のグリップカバーは、
前記グリップカバー本体は、少なくともその一部が、１ｍｍ〜３ｍｍの厚みであり、前記手すりの延伸方向に沿って手すり挿入用切込を有し、３０度〜７０度の硬度であり、一体成形されていることを特徴とする。
【００１０】
この特徴によれば、グリップカバー本体が、十分な耐久性を有する硬度であるとともに、手すり挿入用切込から手すりを挿入して後付け装着できるだけの変形性を備える。ここで、硬度は、ショアＡ硬度とする。なお、後述の実施例ではグリップカバー本体の全部が、１ｍｍ〜３ｍｍの厚みであり、前記手すりの延伸方向に沿って手すり挿入用切込を有し、３０度〜７０度の硬度であり、一体成形されているが、かかるグリップカバー本体に付加的な部分を付しても本発明の目的を達成できるので、「少なくともその一部」が要件を満たせばよい。
【００１１】
本発明のグリップカバーは、
前記クッション材は、少なくともその一部が、前記グリップカバー本体よりも硬度が低いことを特徴とする。
【００１２】
この特徴によれば、広く用いられている一般的なクッション材を用いて、十分なクッション性を得ることができる。すなわち、本体よりも硬度が低いクッション材であれば、グリップカバーを握った際にグリップカバー本体よりも強いクッション性が得られる。なお、後述の実施例ではクッション材の全部が、グリップカバー本体よりも硬度が低いが、グリップカバー本体のうちユーザが把持する箇所についてクッション性を得ることで本発明の目的を達成できるので、クッション材についてもユーザが把持する箇所に対応する「少なくともその一部」が要件を満たせばよい。
【００１３】
本発明のグリップカバーは、
前記クッション材は、少なくともその一部が、前記手すりの周縁全体を被覆し、２ｍｍ〜４ｍｍの厚みであることを特徴とする。
【００１４】
この特徴によれば、発泡ゴムスポンジ等の一般的なクッション材を用いて、十分なクッション性を得るグリップカバーを提供することができる。なお、後述の実施例ではクッション材の全部が、手すりの周縁全体を被覆し、２ｍｍ〜４ｍｍの厚みであるが、グリップカバー本体のうちユーザが把持する箇所についてクッション性を得ることで本発明の目的を達成できるので、クッション材についてもユーザが把持する箇所に対応する「少なくともその一部」が要件を満たせばよい。
【００１５】
本発明のグリップカバーは、
前記グリップカバー本体は、エラストマー製であることを特徴とする。
【００１６】
この特徴によれば、エラストマーによってグリップカバー本体を構成することができる。ここで「エラストマー」とは弾性を有する重合体であり、スチレン系、ポリウレタン系、オレフィン系、塩ビ系のものを含む。
【００１７】
本発明のグリップカバーは、
前記クッション材は、発泡体製であることを特徴とする。
【００１８】
この特徴によれば、広く用いられている発泡体によってクッション材を構成することができる。ここで発泡体とは、発泡ＥＰＤＭ、発泡ＥＶＡ、発泡ウレタン、発泡ゴムスポンジ、その他発泡させてクッション性を持たせた素材である。
【００１９】
本発明のグリップカバーは、
前記手すりは湾曲部分を有することを特徴とする。
【００２０】
この特徴によれば、一部又は全部が湾曲した手すりに対応することができる。
【発明の効果】
【００２１】
本発明によれば、湾曲した手すりを含む完成品の手すりに後付けすることができ、クッション性及び耐久性に優れたグリップカバー、およびその装着方法を提供することができる。
【図面の簡単な説明】
【００２２】
【図１】図１は、手すりを示す図である。
【図２】図２は、グリップカバー部分を示す拡大図である。
【図３】図３は、グリップカバーの構造を示す断面図である。
【図４】図４は、グリップカバーの構造を示す拡大断面図である。
【図５】図５は、グリップカバー本体を示す図である。
【図６】図６は、グリップカバーの装着手順を示す図である。
【図７】図７は、グリップカバーの別形態を示す図である。
【図８】図８は、グリップカバーの別形態を示す図である。
【図９】図９は、グリップカバーの別形態を示す図である。
【発明を実施するための形態】
【００２３】
以下、本発明の実施例を説明する。
【００２４】
図１は、手すりを示す図である。手すり１０は、底面板１１の上の台座１２から延伸されるパイプ１３に挿入され、高さを調整して固定具１４によって固定されている。手すりの最上部には、グリップカバー１が装着されている。
【００２５】
図２は、グリップカバー部分を示す拡大図である。図１において、グリップカバー１の部分を正面視で拡大した図である。
【００２６】
図３は、グリップカバーの構造を示す断面図である。図２における紙面平行方向の断面を示したものである。グリップカバー本体１は、手すり１０を覆うように装着されている。グリップカバー本体１と手すり１０との間には、クッション材２が設けられている。
【００２７】
図４は、グリップカバーの構造を示す拡大断面図である。図２におけるＳ−Ｓ線の拡大断面図である。手すり１０はパイプ状であり、その周縁には全方向にクッション材２が設けられている。
【００２８】
クッション材２のさらに外側には、グリップカバー本体１が設けられている。グリップカバー本体１は、手すり１０及びクッション材２を全周にわたり被覆する。グリップカバー１の下端には、手すり挿入用切込１ａが設けられている。
【００２９】
ここで、クッション材２は、手すり１０の直径方向に十分な弾力を持つ素材、例えば発泡ゴムスポンジ等の発泡体製である。例えば、エチレンプロピレンゴムスポンジ製とすることができる。クッション材２は、その硬度が例えばアスカ−Ｃ硬度で７度となり、グリップカバー本体１よりも柔らかくクッション性を有する。これにより、使用者がグリップカバー（グリップカバー本体１）を把持した際にクッション性によって持ちやすくなり、グリップカバーのない手すり１０を直接に把持するよりも安定して持つことができる。グリップカバーによってグリップ力が向上している。
【００３０】
また、グリップカバー本体１は、十分な強度を持つ素材、例えばスチレン系エラストマー製である。グリップカバー本体１は、その硬度が例えば６０度とする。これにより、グリップカバーの耐久性が向上している。
【００３１】
以上のクッション材２とグリップカバー本体１とを合わせてグリップカバーが構成され、クッション性及び耐久性に優れたグリップカバーが提供される。
【００３２】
図５は、グリップカバー本体を示す図である。グリップカバー本体１は、手すり挿入用切込１a及び貫通孔１ｂを備えている。
【００３３】
手すり挿入用切込１ａは、管状のグリップカバー本体１の一端から他端に至り、下側に設けられている。手すり挿入用切込１aに手すり１０を挿入して完成品の手すりにグリップカバー本体１を後付して装着することができる。また、装着後の使用時において、手すり挿入用切込１ａがあまり視認されず、デザイン的にも優れたグリップカバーとなる。
【００３４】
貫通孔１ｂは、グリップカバー本体１の両端において手すり１０を貫通させる。
【００３５】
手すり挿入用切込１ａから手すり１０を挿入する際には、グリップカバー本体１を変形させる必要がある。この変形と耐久性を両立させるため、グリップカバー本体１は３０度〜７０度の強度を有することが好ましい。
【００３６】
以上のように、グリップカバー本体１が６０度程度の強度を有しクッション材２が発泡体製である場合、クッション性及び耐久性を両立させるため、クッション材２の厚み（ｔ）は３ｍｍ程度（２ｍｍ〜４ｍｍ）、グリップカバー本体１の厚み（ｔ）は２ｍｍ程度（１ｍｍ〜３ｍｍ）であることが好ましい。
【００３７】
以下、グリップカバーを手すり１０に装着する手順について説明する。
【００３８】
図６は、グリップカバーの装着手順を示す図である。図６（Ａ）は、グリップカバー装着前の手すり１０を示す。
【００３９】
まず、発泡体であるクッション材２を、手すり１０に装着する。図６（Ｂ）に示す状態となる。ここで、クッション材２は、内面に粘着面を有するものとし、粘着面を手すり１０に貼付するように装着する。
【００４０】
なお、テープ状の発泡体であるクッション材２を、手すり１０に巻きつけてもよい。この場合、図６（Ｂ２）に示す状態となる。ここで、クッション材２は、片面に粘着面を有するものとし、粘着面を手すり１０に貼付するように巻きつける。
【００４１】
次に、グリップカバー本体１を装着して、クッション材２（及び手すり１０）を被覆する。グリップカバー本体１変形して手すり挿入用切込１ａを広げ、そこにクッション材２（及び手すり１０）を挿入すればよい。図６（Ｃ）に示す状態となる。
【００４２】
クッション材２が両面に粘着面を有していれば、グリップカバー本体１が固定される。クッション材２が片面のみに粘着面を有する場合には、グリップカバー本体１の装着に先立ってクッション材２に接着剤を塗布することでグリップカバー本体１を固定する。
【００４３】
以上により、グリップカバーが手すり１０に装着される。
【００４４】
以下、グリップカバーの形状のバリエーションを説明する。
【００４５】
図７は、グリップカバーの別形態を示す図である。図７（Ａ）は図１と同様に手すりを示し、図７（Ｂ）は図５と同様にグリップカバー本体１を示す。図７のように、直線状のグリップカバーも考えられる。
【００４６】
図８は、グリップカバーの別形態を示す図である。図８（Ａ）は図１と同様に手すりを示し、図８（Ｂ）は図５と同様にグリップカバー本体１を示す。ただし、図８（Ｂ）はグリップカバー本体１を下側から見た図であり、上下が逆である。図８のように、上面が１本の棒でなく、平らなグリップカバーも考えられる。例えばベッドからの離床をサポートする場合に有効である。
【００４７】
図９は、グリップカバーの別形態を示す図である。図９（Ａ）は図１と同様に手すりを示し、図９（Ｂ）は図５と同様にグリップカバー本体１を示す。ただし、図９（Ｂ）はグリップカバー本体１を下側から見た図であり、上下が逆である。図９のように、上面に湾曲のないグリップカバーも考えられる。小型の手すりとなり、狭いスペースでのサポートに有効である。
【００４８】
以上詳細に説明したように、本実施例のグリップカバーは、グリップカバー本体１とクッション材２とを備えることで、クッション性及び耐久性に優れたものとなる。また、本実施例のグリップカバーの装着方法は、施工が容易である。
【００４９】
なお、本実施例は床置き型の手すりとして説明したが、階段の脇部等に固定された手すりについても同様に、本発明のグリップカバーを用いることができる。
【産業上の利用可能性】
【００５０】
湾曲した手すりを含む完成品の手すりに後付けすることができ、クッション性及び耐久性に優れたグリップカバーである。多くの手すり生産者等による利用が考えられる。
【符号の説明】
【００５１】
１    グリップカバー本体（グリップカバー）
１ａ  手すり挿入用切込
１ｂ  貫通孔
２    クッション材
１０  手すり
【図１】
2019190181.tif 000003
【図２】
2019190181.tif 000004
【図３】
2019190181.tif 000005
【図４】
2019190181.tif 000006
【図５】
2019190181.tif 000007
【図６】
2019190181.tif 000008
【図７】
2019190181.tif 000009
【図８】
2019190181.tif 000010
【図９】
2019190181.tif 000011